(57)【要約】  無線基地局ｅＮＢ１−１は、ＳＲＳ送信周波数帯を設定したにもかかわらず、サービング無線端末ＵＥ２−１が当該ＳＲＳ送信周波数帯の一部の周波数帯のみを利用してＳＲＳを送信してきた場合には、ＳＲＳ送信周波数帯のうち、最新に受信したＳＲＳの周波数帯を有する下りリソースブロックを割り当て、当該下りリソースブロックに対して、最新に受信したＳＲＳに基づく送信ウェイトを設定し、当該下りリソースブロックを用いて無線信号を送信する。
2012026604.tif 000002
【特許請求の範囲】
【請求項１】
複数のアンテナにアンテナウェイトを適用するアダプティブアレイ方式の無線基地局であって、
前記アンテナウェイトの算出で参照される参照信号のサービング無線端末による送信に用いられることが可能な参照信号送信周波数帯を設定するとともに、設定した前記参照信号送信周波数帯の無線リソースを前記サービング無線端末に割り当てる制御部を備え、
前記制御部は、前記参照信号送信周波数帯の無線リソースのうち、最新に受信された参照信号の周波数帯を有する無線リソースに対して、前記最新に受信された参照信号に基づくアンテナウェイトを設定する無線基地局。
【請求項２】
前記制御部は、前記参照信号送信周波数帯のうち、前記参照信号の周波数帯を有するビームの希望波方向が前記サービング無線端末に向くように、前記アンテナウェイトを設定する請求項１に記載の無線基地局。
【請求項３】
前記制御部は、前記参照信号送信周波数帯のうち、前記参照信号の周波数帯以外の周波数帯を有する前記無線リソースに対して、前記無指向性のアンテナウェイトを設定する請求項１に記載の無線基地局。
【請求項４】
前記制御部は、前記参照信号送信周波数帯のうち、所定期間内に受信された前記参照信号の周波数帯を有するビームの希望波方向が前記サービング無線端末に向くように、前記アンテナウェイトを設定する請求項１に記載の無線基地局。
【請求項５】
前記制御部は、設定のタイミング毎に、前記参照信号送信周波数帯を切り替える請求項１に記載の無線基地局。
【請求項６】
複数のアンテナにアンテナウェイトを適用するアダプティブアレイ方式の無線基地局における通信制御方法であって、
前記アンテナウェイトの算出で参照される参照信号のサービング無線端末による送信に用いられることが可能な参照信号送信周波数帯を設定するとともに、設定した前記参照信号送信周波数帯の無線リソースを前記サービング無線端末に割り当てる制御ステップを備え、
前記制御ステップは、前記参照信号送信周波数帯の無線リソースのうち、最新に受信された参照信号の周波数帯を有する無線リソースに対して、前記最新に受信された参照信号に基づくアンテナウェイトを設定する通信制御方法。
【請求項７】
複数のアンテナにアンテナウェイトを適用するアダプティブアレイ方式の無線基地局との間で無線通信を行う無線端末であって、
前記アンテナウェイトの算出で参照される参照信号の送信に用いられることが可能な第１の参照信号送信周波数帯の情報を受信する受信部と、
前記無線基地局との間の通信品質に基づいて、前記第１の参照信号送信周波数帯に含まれる第２の参照信号送信周波数帯を設定し、前記第２の参照信号送信周波数帯を用いて前記参照信号を送信する制御部と、
を備える無線端末。
【請求項８】
前記制御部は、前記無線端末の送信電力に応じて、前記第２の参照信号送信周波数帯を設定する請求項７に記載の無線端末。
【請求項９】
前記制御部は、前記無線基地局からの送信電力の制御を要求する送信電力制御情報が送信電力の上昇の要求を示す場合に、前記第２の参照信号送信周波数帯を縮小し、前記送信電力制御情報が送信電力の低下を要求する場合に、前記第２の参照信号送信周波数帯を拡大、又は、前記第２の参照信号送信周波数帯の縮小を終了する請求項７に記載の無線端末。
【請求項１０】
複数のアンテナにアンテナウェイトを適用するアダプティブアレイ方式の無線基地局との間で無線通信を行う無線端末における通信制御方法であって、
前記アンテナウェイトの算出で参照される参照信号の送信に用いられることが可能な第１の参照信号送信周波数帯の情報を受信するステップと、
前記無線基地局との間の通信品質に基づいて、前記第１の参照信号送信周波数帯に含まれる第２の参照信号送信周波数帯を設定し、前記第２の参照信号送信周波数帯を用いて前記参照信号を送信するステップと、  
を備える通信制御方法。
【発明の詳細な説明】
【技術分野】
【０００１】
本発明は、複数のアンテナを用いて、無線端末との間で無線信号の送信及び受信を行う無線基地局、及び、当該無線基地局における通信制御方法に関する。また、本発明は、複数のアンテナにアンテナウェイトを適用するアダプティブアレイ方式の無線基地局との間で無線通信を行う無線端末、及び、当該無線端末における通信制御方法に関する。
【背景技術】
【０００２】
３ＧＰＰ（Third Generation Partnership Project）において、現在、規格策定中のＬＴＥ（Long Term Evolution）に対応する無線通信システムでは、無線基地局ｅＮＢと無線端末ＵＥとの間の無線通信において、無線基地局ｅＮＢが無線リソースの割り当てを行っている（例えば、非特許文献１参照）。また、ＬＴＥに対応する無線通信システムでは、無線基地局ｅＮＢと無線端末ＵＥとの間の無線通信に、周波数分割複信（ＦＤＤ：Firequency Division Duplex）と、時分割複信（ＴＤＤ：Time Division Duplex）との何れかが採用される。  更に、ＴＤＤを採用するＬＴＥ（ＴＤＤ−ＬＴＥ）の無線通信システムでは、無線基地局ｅＮＢと、移動する無線端末ＵＥとの間の通信品質を確保すべく、無線基地局ｅＮＢが、下りの無線信号の送信時に無線端末ＵＥの方向へ適応的にビームを向ける制御（アダプティブアレイ制御）を行うことが検討されている。【０００３】
アンテナウェイトの算出手法として、無線基地局ｅＮＢが、無線端末ＵＥからの上りの無線信号であるサウンディング参照信号（ＳＲＳ）を受信した場合、当該ＳＲＳの周波数帯と同一の周波数帯の下りリソースブロックに対するアンテナウェイトを算出することが想定される。この場合、無線基地局ｅＮＢは、ＳＲＳの送信に使用する周波数帯（ＳＲＳ送信周波数帯）を無線端末ＵＥに通知する。【０００４】
しかし、無線端末ＵＥは、セルの外縁部に存在するために、広いＳＲＳ送信周波数帯の全体を利用してＳＲＳを送信すると、消費電力が大きくなってしまうような場合、ＳＲＳ送信周波数帯の一部の周波数帯のみを利用してＳＲＳを送信することもある。このような状況下では、無線基地局ｅＮＢは、通知したＳＲＳ送信周波数帯の全体について、下りリソースブロックに対するアンテナウェイトを的確に設定できない。【０００５】
また、無線端末ＵＥは、ＳＲＳ送信周波数帯が広いために、送信電力が上限値を超えてしまうこともある。このような状況下では、無線端末ＵＥは、送信電力を下げざるを得ず、無線基地局ｅＮＢへのＳＲＳの到達の確実性が悪化する。【０００６】
上記問題点に鑑み、本発明は、下りの無線リソースに対するアンテナウェイトの設定を的確に行えるようにした無線基地局及び通信制御方法を提供することを第１の目的とする。また、本発明は、無線基地局への参照信号の到達の確実性を向上させた無線端末及び通信制御方法を提供することを第２の目的とする。
【先行技術文献】
【非特許文献】
【０００７】
【非特許文献１】3GPP TS 36.211 V8.7.0 ”Physical Channels and Moduration”, MAY 2009
【発明の概要】
【０００８】
上述した第１の目的を達成するために、本発明は以下のような特徴を有している。本発明の第１の特徴は、複数のアンテナ（アンテナ１０８Ａ、アンテナ１０８Ｂ、アンテナ１０８Ｃ、アンテナ１０８Ｄ）にアンテナウェイトを適用するアダプティブアレイ方式の無線基地局（無線基地局ｅＮＢ１−１）であって、前記アンテナウェイトの算出で参照される参照信号（ＳＲＳ）のサービング無線端末による送信に用いられることが可能な参照信号送信周波数帯を設定するとともに、設定した前記参照信号送信周波数帯の無線リソースを前記サービング無線端末に割り当てる制御部（制御部１０２）を備え、前記制御部は、前記参照信号送信周波数帯の無線リソースのうち、最新に受信された参照信号の周波数帯を有する無線リソースに対して、前記最新に受信された参照信号に基づくアンテナウェイトを設定することを要旨とする。
【０００９】
このような無線基地局は、参照信号送信周波数帯を設定したにもかかわらず、サービング無線端末が当該参照信号送信周波数帯の一部の周波数帯のみを利用して参照信号を送信してきた場合には、参照信号送信周波数帯のうち、最新に受信された参照信号の周波数帯を有する無線リソースに対して、参照信号に基づくアンテナウェイトを設定し、参照信号の周波数帯を有する無線リソースを用いて無線信号を送信する。参照信号の周波数帯を有する無線リソースに対して、当該参照信号に基づくアンテナウェイトを設定することで、アンテナウェイトの設定を的確に行える。
【００１０】
本発明の第２の特徴は、前記制御部は、前記参照信号送信周波数帯のうち、前記参照信号の周波数帯を有するビームの希望波方向が前記サービング無線端末に向くように、前記アンテナウェイトを設定することを要旨とする。
【００１１】
本発明の第３の特徴は、前記制御部は、前記参照信号送信周波数帯のうち、前記参照信号の周波数帯以外の周波数帯を有する前記無線リソースに対して、前記無指向性のアンテナウェイトを設定することを要旨とする。
【００１２】
本発明の第４の特徴は、前記制御部は、前記参照信号送信周波数帯のうち、所定期間内に受信された前記参照信号の周波数帯を有するビームの希望波方向が前記サービング無線端末に向くように、前記アンテナウェイトを設定することを要旨とする。
【００１３】
本発明の第５の特徴は、前記制御部は、設定のタイミング毎に、前記参照信号送信周波数帯を切り替えることを要旨とする。
【００１４】
本発明の第６の特徴は、複数のアンテナにアンテナウェイトを適用するアダプティブアレイ方式の無線基地局における通信制御方法であって、前記アンテナウェイトの算出で参照される参照信号のサービング無線端末による送信に用いられることが可能な参照信号送信周波数帯を設定するとともに、設定した前記参照信号送信周波数帯の無線リソースを前記サービング無線端末に割り当てる制御ステップを備え、前記制御ステップは、前記参照信号送信周波数帯の無線リソースのうち、最新に受信された参照信号の周波数帯を有する無線リソースに対して、前記最新に受信された参照信号に基づくアンテナウェイトを設定することを要旨とする。
【００１５】
上述した第２の目的を達成するために、本発明は以下のような特徴を有している。本発明の第７の特徴は、複数のアンテナにアンテナウェイトを適用するアダプティブアレイ方式の無線基地局（無線基地局ｅＮＢ１−１）との間で無線通信を行う無線端末（サービング無線端末ＵＥ２−１）であって、前記アンテナウェイトの算出で参照される参照信号の送信に用いられることが可能な第１の参照信号送信周波数帯の情報を受信する受信部（制御部２０２、無線通信部２０６、変調・復調部２０７、アンテナ２０８）と、前記無線基地局との間の通信品質に基づいて、前記第１の参照信号送信周波数帯に含まれる第２の参照信号送信周波数帯を設定し、前記第２の参照信号送信周波数帯を用いて前記参照信号を送信する制御部（制御部２０２）とを備えることを要旨とする。
【００１６】
このような無線端末は、無線基地局から第１の参照信号送信周波数帯を用いた参照信号の送信が要求された場合に、当該無線基地局との間の通信品質に基づいて、第１の参照信号送信周波数帯に含まれる第２の参照信号送信周波数帯を設定し、当該第２の参照信号送信周波数帯を用いて参照信号を送信する。従って、無線基地局との間の通信品質に応じた参照信号送信周波数帯の制御による参照信号の送信が可能となり、無線基地局に対する参照信号の到達の確実性を向上させることができる。
【００１７】
本発明の第８の特徴は、前記制御部は、前記無線端末の送信電力に応じて、前記第２の参照信号送信周波数帯を設定することを要旨とする。
【００１８】
本発明の第９の特徴は、前記制御部は、前記無線基地局からの送信電力の制御を要求する送信電力制御情報が送信電力の上昇の要求を示す場合に、前記第２の参照信号送信周波数帯を縮小し、前記送信電力制御情報が送信電力の低下を要求する場合に、前記第２の参照信号送信周波数帯を拡大、又は、前記第２の参照信号送信周波数帯の縮小を終了することを要旨とする。
【００１９】
本発明の第１０の特徴は、複数のアンテナにアンテナウェイトを適用するアダプティブアレイ方式の無線基地局との間で無線通信を行う無線端末における通信制御方法であって、前記アンテナウェイトの算出で参照される参照信号の送信に用いられることが可能な第１の参照信号送信周波数帯の情報を受信するステップと、前記無線基地局との間の通信品質に基づいて、前記第１の参照信号送信周波数帯に含まれる第２の参照信号送信周波数帯を設定し、前記第２の参照信号送信周波数帯を用いて前記参照信号を送信するステップとを備えることを要旨とする。
【図面の簡単な説明】
【００２０】
【図１】図１は、本発明の実施形態に係る無線通信システムの全体概略構成図である。
【図２】図２は、本発明の実施形態に係る、リソースブロックのフォーマットを示す図である。
【図３】図３は、本発明の実施形態に係る、フレームのフォーマットを示す図である。
【図４】図４は、本発明の実施形態に係る、無線基地局と無線端末との間の無線通信において利用可能な無線リソースの周波数帯の構成を示す図である。
【図５】図５は、本発明の実施形態に係る、無線基地局の構成図である。
【図６】図６は、本発明の実施形態に係る、ＳＲＳの周波数帯と、割り当て下りリソースブロックとの対応の第１の例を示す図である。
【図７】図７は、本発明の実施形態に係る、ＳＲＳの周波数帯と、割り当て下りリソースブロックとの対応の第２の例を示す図である。
【図８】図８は、本発明の実施形態に係る、無線端末の構成図である。
【図９】図９は、本発明の実施形態に係る、無線基地局の第１の動作を示すフローチャートである。
【図１０】図１０は、本発明の実施形態に係る、無線基地局の第２の動作を示すフローチャートである。
【図１１】図１１は、本発明の実施形態に係る、無線端末の動作を示すフローチャートである。
【発明を実施するための形態】
【００２１】
次に、図面を参照して、本発明の実施形態を説明する。具体的には、（１）無線通信システムの構成、（２）無線基地局の構成、（３）無線端末の構成、（４）無線通信システムの動作、（５）作用・効果、（６）その他の実施形態について説明する。以下の実施形態における図面の記載において、同一又は類似の部分には同一又は類似の符号を付している。
【００２２】
（１）無線通信システムの構成
図１は、本発明の実施形態に係る無線通信システム１０の全体概略構成図である。
【００２３】
図１に示す無線通信システム１０は、ＴＤＤ−ＬＴＥの無線通信システムである。無線通信システム１０は、無線基地局ｅＮＢ１−１と、無線端末ＵＥ２−１とを含む。
【００２４】
無線端末ＵＥ２−１は、無線基地局ｅＮＢ１−１によるリソースブロックの割り当て対象である。この場合、無線基地局ｅＮＢ１−１を基準とすると、無線端末ＵＥ２−１は、サービング無線端末である。以下、無線基地局ｅＮＢ１−１によるリソースブロックの割り当て対象の無線端末を、適宜サービング無線端末ＵＥ２−１と称する。
【００２５】
無線基地局ｅＮＢ１−１と無線端末ＵＥ２−１との間の無線通信には、時分割複信が採用されるとともに、下りの無線通信にはＯＦＤＭＡ（Orthogonal Frequency Division Multiplexing Access）、上りの無線通信にはＳＣ−ＦＤＭＡ（Single Carrier Frequency Division Multiple Access）が採用される。ここで、下りとは、無線基地局ｅＮＢ１−１から無線端末ＵＥ２−１へ向かう方向を意味する。上りとは、無線端末ＵＥ２−１から無線基地局ｅＮＢ１−１へ向かう方向を意味する。
【００２６】
無線基地局ｅＮＢ１−１は、セル３−１内のサービング無線端末ＵＥ２−１に対して、無線リソースとしてのリソースブロック（ＲＢ：Resource Block）を割り当てる。
【００２７】
リソースブロックは、下りの無線通信に用いられる下りリソースブロック（下りＲＢ）と、上りの無線通信に用いられる上りリソースブロック（上りＲＢ）とがある。複数の下りリソースブロックは、周波数方向及び時間方向に配列される。同様に、複数の上りリソースブロックは、周波数方向及び時間方向に配列される。
【００２８】
図２は、リソースブロックのフォーマットを示す図である。リソースブロックは、時間方向では、１［ｍｓ］の時間長を有する１つのサブフレーム内に構成される。サブフレームは、時間帯Ｓ１乃至時間帯Ｓ１４からなる。これら時間帯Ｓ１乃至時間帯Ｓ１４のうち、時間帯Ｓ１乃至時間帯Ｓ７は、前半のタイムスロット（タイムスロット１）を構成し、時間帯Ｓ８乃至時間帯Ｓ１４は、後半のタイムスロット（タイムスロット２）を構成する。そして、タイムスロット１とタイムスロット２が、リソースブロックに対応する。
【００２９】
図２に示すように、リソースブロックは、周波数方向では、１８０［ｋＨｚ］の周波数幅を有する。また、リソースブロックは、１５［ｋＨｚ］の周波数幅を有する１２個のサブキャリアＦ１乃至Ｆ１２からなる。
【００３０】
また、時間方向においては、複数のサブフレームによって１つのフレームが構成される。図３は、フレームのフォーマットを示す図である。図３に示すフレームは、１０個のサブフレームによって構成される。フレームには、１０個のサブフレームが、下りリソースブロックのサブフレーム、下りリソースブロック及び上りリソースブロック双方のサブフレーム（スペシャルサブフレーム：ＳＳＦ）、上りリソースブロックのサブフレーム、上りリソースブロックのサブフレーム、下りリソースブロックのサブフレーム、下りリソースブロックのサブフレーム、スペシャルサブフレーム、上りリソースブロックのサブフレーム、上りリソースブロックのサブフレーム、下りリソースブロックのサブフレームの順で含まれている。以下、１フレームに含まれる２つのスペシャルサブフレームのうち、前方のスペシャルサブフレームを第１ＳＳＦ３０１と称し、後方のスペシャルサブフレームを第２ＳＳＦ３０２と称する。なお、スペシャルサブフレームは、サブフレーム内において、ガードタイムを挟んで前半のタイムスロットが下りの無線通信に利用され、後半のタイムスロットが上りの無線通信に利用される。
【００３１】
また、周波数方向においては、無線基地局ｅＮＢ１−１とサービング無線端末ＵＥ２−１との間の無線通信において利用可能な無線リソースの全周波数帯、換言すれば、サービング無線端末ＵＥ２−１に対して割り当て可能な周波数帯（割り当て周波数帯）は、複数のリソースブロックの個数分の帯域を有する。
【００３２】
図４は、無線基地局ｅＮＢ１−１サービング無線端末ＵＥ２−１との間の無線通信において利用可能な全周波数帯の構成を示す図である。図４に示すように、無線基地局ｅＮＢ１−１とサービング無線端末ＵＥ２−１との間の無線通信において利用可能な全周波数帯は、９６個のリソースブロック分の帯域を有する。また、全周波数帯は、２４個のリソースブロック分の帯域を有する周波数帯１乃至周波数帯４に分割されている。
【００３３】
下りリソースブロックは、時間方向に、下りの制御情報伝送用の制御情報チャネル（ＰＤＣＣＨ：Physical Downlink Control CHannel）と、下り方向のユーザデータ伝送用の共有データチャネル（ＰＤＳＣＨ：Physical Downlink Shared CHannel）とにより構成される。
【００３４】
一方、上りリソースブロックは、上りの無線通信に使用可能な全周波数帯の両端では、上りの制御情報伝送用の制御情報チャネル（ＰＵＣＣＨ：Physical Uplink Control CHannel）が構成され、中央部では、上りのユーザデータ伝送用の共有データチャネル（ＰＵＳＣＨ：Physical Uplink Shared CHannel）が構成される。
【００３５】
（２）無線基地局の構成
図５は、無線基地局ｅＮＢ１−１の構成図である。図５に示すように、無線基地局ｅＮＢ１−１は、複数のアンテナにアンテナウェイトを適用するアダプティブアレイ方式の無線基地局であり、制御部１０２、記憶部１０３、Ｉ／Ｆ部１０４、無線通信部１０６、変調・復調部１０７、アンテナ１０８Ａ、アンテナ１０８Ｂ、アンテナ１０８Ｃ、アンテナ１０８Ｄを含む。
【００３６】
制御部１０２は、例えばＣＰＵによって構成され、無線基地局ｅＮＢ１−１が具備する各種機能を制御する。制御部１０２は、サウンディング参照信号（ＳＲＳ）送信周波数帯設定部１１２、リソースブロック（ＲＢ）割当部１１４、及び、アンテナウェイト算出部１１６を含む。記憶部１０３は、例えばメモリによって構成され、無線基地局ｅＮＢ１−１における制御などに用いられる各種情報を記憶する。
【００３７】
Ｉ／Ｆ部１０４は、Ｘ２インタフェースを介して、他の無線基地局ｅＮＢとの間で通信可能である。また、Ｉ／Ｆ部１０４は、Ｓ１インターフェースを介して、図示しないＥＰＣ（Evolved Packet Core）、具体的には、ＭＭＥ（Mobility Management Entity）／Ｓ−ＧＷ（Serving Gateway）と通信可能である。
【００３８】
無線通信部１０６は、アンテナ１０８Ａ乃至アンテナ１０８Ｄを介して、サービング無線端末ＵＥ２−１から送信される上り無線信号を受信する。更に、無線通信部１０６は、受信した上り無線信号をベースバンド信号に変換（ダウンコンバート）し、変調・復調部１０７へ出力する。
【００３９】
変調・復調部１０７は、入力されたベースバンド信号の復調及び復号処理を行う。これにより、無線端末ＵＥ２−１が送信した上り無線信号に含まれるデータが得られる。データは制御部１０２へ出力される。
【００４０】
また、変調・復調部１０７は、制御部１０２からのデータの符号化及び変調を行い、ベースバンド信号を得る。無線通信部１０６は、ベースバンド信号を下り無線信号に変換（アップコンバート）する。更に、無線通信部１０６は、アンテナ１０８Ａ乃至アンテナ１０８Ｄを介して、下り無線信号を送信する。
【００４１】
制御部１０２内のＳＲＳ送信周波数帯設定部１１２は、サービング無線端末ＵＥ２−１に対して、スペシャルサブフレームのタイミングで当該サービング無線端末ＵＥ２−１がサウンディング参照信号（ＳＲＳ）を送信する際に使用する周波数帯（ＳＲＳ送信周波数帯）を設定する。ここで、ＳＲＳは、無線基地局ｅＮＢ１−１におけるアンテナウェイトの算出で参照すべき信号であり、無線周波数帯の上り無線信号である。本実施形態では、ＳＲＳ送信周波数帯設定部１１２は、次のスペシャルサブフレームのタイミングで当該サービング無線端末ＵＥ２−１がＳＲＳを送信する際のＳＲＳ送信周波数帯を設定する場合、当該スペシャルサブフレームのタイミングが到来する前にＳＲＳ送信周波数帯を設定する。本実施形態では、ＳＲＳ送信周波数帯は、図４に示す周波数帯１、周波数帯３、周波数帯２、周波数帯４の順序で切り替えられ、その後、再び、周波数帯１に戻るという周期的な切り替え順序で設定される。
【００４２】
ＳＲＳ送信周波数帯設定部１１２は、ＳＲＳ送信周波数帯を設定する毎に、当該ＳＲＳ送信周波数帯の情報をサービング無線端末ＵＥ２−１へ送信する。
【００４３】
具体的には、ＳＲＳ送信周波数帯設定部１１２は、サービング無線端末ＵＥ２−１の接続時においては、ＲＲＣ（Radio Resource Control）Ｃｏｎｎｅｃｔｉｏｎ  Ｓｅｔｕｐ  メッセージの情報要素であるＳｏｕｎｄｉｎｇＲＳ−ＵＬ−Ｃｏｎｆｉｇに、ＳＲＳ送信周波数帯の帯域幅に対応するパラメータを設定する。また、ＳＲＳ送信周波数帯設定部１１２は、ＲＲＣ  Ｃｏｎｎｅｃｔｉｏｎ  Ｓｅｔｕｐ  メッセージに、ＳＲＳ送信周波数帯の中心周波数の情報を設定する。
【００４４】
更に、ＳＲＳ送信周波数帯設定部１１２は、パラメータとＳＲＳ送信周波数帯の中心周波数の情報とが設定されたＲＲＣ  Ｃｏｎｎｅｃｔｉｏｎ  Ｓｅｔｕｐ  メッセージを変調・復調部１０７へ出力する。
【００４５】
変調・復調部１０７は、ＲＲＣ  Ｃｏｎｎｅｃｔｉｏｎ  Ｓｅｔｕｐ  メッセージの符号化及び変調を行い、ベースバンド信号を得る。無線通信部１０６は、ベースバンド信号を下り無線信号に変換し、アンテナ１０８Ａ乃至アンテナ１０８Ｄを介して、下り無線信号を送信する。
【００４６】
また、ＳＲＳ送信周波数帯設定部１１２は、サービング無線端末ＵＥ２−１の通信時においては、ＲＲＣ  Ｃｏｎｎｅｃｔｉｏｎ  Ｒｅｃｏｎｆｉｇｕｒａｔｉｏｎ  メッセージの情報要素であるＳｏｕｎｄｉｎｇＲＳ−ＵＬ−Ｃｏｎｆｉｇに、ＳＲＳ送信周波数帯の帯域幅に対応するパラメータを設定する。また、ＳＲＳ送信周波数帯設定部１１２は、ＲＲＣ  Ｃｏｎｎｅｃｔｉｏｎ  Ｒｅｃｏｎｆｉｇｕｒａｔｉｏｎ  メッセージに、ＳＲＳ送信周波数帯の中心周波数の情報を設定する。
【００４７】
更に、ＳＲＳ送信周波数帯設定部１１２は、パラメータとＳＲＳ送信周波数帯の中心周波数の情報とが設定されたＲＲＣ  Ｃｏｎｎｅｃｔｉｏｎ  Ｒｅｃｏｎｆｉｇｕｒａｔｉｏｎ  メッセージを変調・復調部１０７へ出力する。
【００４８】
変調・復調部１０７は、ＲＲＣ  Ｃｏｎｎｅｃｔｉｏｎ  Ｒｅｃｏｎｆｉｇｕｒａｔｉｏｎ  メッセージの符号化及び変調を行い、ベースバンド信号を得る。無線通信部１０６は、ベースバンド信号を下り無線信号に変換し、アンテナ１０８Ａ乃至アンテナ１０８Ｄを介して、下り無線信号を送信する。
【００４９】
サービング無線端末ＵＥ２−１は、ＲＲＣ  Ｃｏｎｎｅｃｔｉｏｎ  Ｓｅｔｕｐ  メッセージに対応する下り無線信号、又は、ＲＲＣ  Ｃｏｎｎｅｃｔｉｏｎ  Ｒｅｃｏｎｆｉｇｕｒａｔｉｏｎ  メッセージに対応する下り無線信号を受信する。
【００５０】
更に、サービング無線端末ＵＥ２−１は、ＲＲＣ  Ｃｏｎｎｅｃｔｉｏｎ  Ｓｅｔｕｐ  メッセージに設定されているパラメータ、又は、ＲＲＣ  Ｃｏｎｎｅｃｔｉｏｎ  Ｒｅｃｏｎｆｉｇｕｒａｔｉｏｎ  メッセージに設定されているパラメータと、セル３−１に対応して静的に定められているパラメータとに基づいて、ＳＲＳ送信周波数帯の帯域幅を認識する。また、サービング無線端末ＵＥ２−１は、ＲＲＣ  Ｃｏｎｎｅｃｔｉｏｎ  Ｓｅｔｕｐ  メッセージに設定されているＳＲＳ送信周波数帯の中心周波数の情報に基づいて、ＳＲＳ送信周波数帯の中心周波数を認識する。
【００５１】
サービング無線端末ＵＥ２−１は、ＳＲＳ送信周波数帯の帯域幅と、ＳＲＳ送信周波数帯の中心周波数とに基づいて、ＳＲＳ送信周波数帯を一意に特定でき、スペシャルサブフレームのタイミングで、ＳＲＳ送信周波数帯を用いてＳＲＳを送信する。
【００５２】
無線基地局ｅＮＢ１−１内の無線通信部１０６は、アンテナ１０８Ａ乃至アンテナ１０８Ｄを介して、サービング無線端末ＵＥ２−１から送信されるＳＲＳを受信する。更に、無線通信部１０６は、受信したＳＲＳをベースバンド信号に変換し、変調・復調部１０７へ出力する。また、無線通信部１０６は、受信したＳＲＳの周波数帯の情報を制御部１０２へ出力する。変調・復調部１０７は、入力されたベースバンド信号の復調及び復号処理を行う。これにより、無線端末ＵＥ２−１が送信したＳＲＳに含まれるデータが得られる。データは制御部１０２へ出力される。
【００５３】
ＲＢ割当部１１４は、サービング無線端末ＵＥ２−１に対して、下りリソースブロックを割り当てる。具体的には、以下の第１の処理乃至第３の処理が行われる。
【００５４】
（第１の処理）
最新に受信されたＳＲＳの周波数帯が、当該ＳＲＳを送信するために定められたＳＲＳ送信周波数帯と一致する場合、ＲＢ割当部１１４は、当該一致するＳＲＳ送信周波数帯に含まれる全ての下りリソースブロックをサービング無線端末ＵＥ２−１に割り当てる。
【００５５】
（第２の処理）
最新に受信されたＳＲＳの周波数帯が、当該ＳＲＳを送信するために定められたＳＲＳ送信周波数帯の一部である場合には、ＲＢ割当部１１４は、最新に受信されたＳＲＳの周波数帯に含まれる全ての下りリソースブロックをサービング無線端末ＵＥ２−１に割り当てる。例えば、図６に示すように、スペシャルサブフレーム３０３のタイミングで受信されたＳＲＳが、ＳＲＳ送信周波数帯である周波数帯１の一部である場合、ＲＢ割当部１１４は、スペシャルサブフレーム３０３のタイミングで受信されたＳＲＳの周波数帯に含まれる全ての下りリソースブロック３０４をサービング無線端末ＵＥ２−１に割り当てる。
【００５６】
（第３の処理）
最新に受信されたＳＲＳの周波数帯が、当該ＳＲＳを送信するために定められたＳＲＳ送信周波数帯の一部である場合には、第２の処理に代えて第３の処理が行われてもよい。第３の処理では、ＲＢ割当部１１４は、最新に受信されたＳＲＳの周波数帯を含むＳＲＳ送信周波数帯に含まれる下りリソースブロックをサービング無線端末ＵＥ２−１に割り当てる。例えば、図７に示すように、スペシャルサブフレーム３０３のタイミングで受信されたＳＲＳがＳＲＳ送信周波数帯である周波数帯１の一部である場合、ＲＢ割当部１１４は、スペシャルサブフレーム３０３のタイミングで受信されたＳＲＳの周波数帯を含むＳＲＳ送信周波数帯である周波数帯１に含まれる全ての下りリソースブロック３０５をサービング無線端末ＵＥ２−１に割り当てる。
【００５７】
上述した第１の処理乃至第３の処理の後、ＲＢ割当部１１４は、割り当てる下りリソースブロックの時間帯を決定する。ここで、ＲＢ割当部１１４は、最新のＳＲＳの受信タイミングが第１ＳＳＦのタイミングである場合には、当該第１ＳＳＦのタイミングから第２ＳＳＦのタイミングまでの間の下りリソースブロックのサブフレームの少なくとも何れか１つの時間帯を決定する。また、ＲＢ割当部１１４は、最新のＳＲＳの受信タイミングが第２ＳＳＦのタイミングである場合には、当該第２ＳＳＦのタイミングから当該第２ＳＳＦを含むフレームの最後方までの間の下りリソースブロックのサブフレームの少なくとも１つの時間帯を決定する。
【００５８】
更に、ＲＢ割当部１１４は、決定した下りリソースブロックの周波数帯及び時間帯を一意に特定可能な下りＲＢ割当値を生成する。下りＲＢ割当値は、媒体アクセス制御（ＭＡＣ）層の処理によって得られる。下りＲＢ割当値には、サービング無線端末ＵＥ２−１に対して割り当てられる下りリソースブロックの時間帯と周波数帯とを一意に識別する情報であるリソースブロック番号が含まれる。
【００５９】
ＲＢ割当部１１４は、下りＲＢ割当値を、変調・復調部１０７、無線通信部１０６及びアンテナ１０８Ａ乃至アンテナ１０８Ｄを介して、サービング無線端末ＵＥ２−１へ送信する。
【００６０】
ＲＢ割当部１１４によって下りリソースブロックが割り当てられた後、アンテナウェイト算出部１１６は、各アンテナ１０８Ａ乃至アンテナ１０８Ｄについて、割り当てた下りリソースブロックを用いた下り無線信号の送信時のアンテナウェイト（送信ウェイト）を算出する。
【００６１】
具体的には、アンテナウェイト算出部１１６は、ＲＢ割当部１１４により生成された下りＲＢ割当値に基づいて、サービング無線端末ＵＥ２−１に割り当てた下りリソースブロックの周波数帯を特定する。次に、アンテナウェイト算出部１１６は、最新に受信されたＳＲＳの周波数帯が、割り当てた下りリソースブロックの周波数帯と一致するか否かを判定する。
【００６２】
最新に受信されたＳＲＳの周波数帯が、割り当てた下りリソースブロックの周波数帯と一致する場合、アンテナウェイト算出部１１６は、最新に受信されたＳＲＳに基づいて、割り当てた下りリソースブロックの周波数帯について、送信ウェイトを算出する。ここで、アンテナウェイト算出部１１６は、サービング無線端末ＵＥ２−１からのＳＲＳの受信時において信号対干渉雑音比（ＳＩＮＲ）が最大となるアンテナウェイト（受信ウェイト）を算出し、当該受信ウェイトを送信ウェイトとする。
【００６３】
算出された各アンテナ１０８Ａ乃至アンテナ１０８Ｄ毎の受信ウェイトは、サービング無線端末ＵＥ２−１からの上り無線信号の受信時においてＳＩＮＲが最大となるアンテナウェイトである。従って、当該受信ウェイトが送信ウェイトとして設定されることにより、当該送信ウェイトは、ビームの希望波方向がサービング無線端末ＵＥ２−１に向くアンテナウェイトとなる。
【００６４】
一方、最新に受信されたＳＲＳの周波数帯が、割り当てた下りリソースブロックの周波数帯と一致しない場合、換言すれば、ＲＢ割当部１１４によって上述した第３の処理が行われた場合、アンテナウェイト算出部１１６は、割り当てた下りリソースブロックの周波数帯のうち、最新に受信されたＳＲＳの周波数帯と、割り当てた下りリソースブロックの周波数帯との重複部分について、最新に受信されたＳＲＳに基づいて、受信ウェイトを算出し、当該受信ウェイトを送信ウェイトとする。
【００６５】
また、アンテナウェイト算出部１１６は、割り当てた下りリソースブロックの周波数帯のうち、最新に受信されたＳＲＳの周波数帯と、当該割り当てた下りリソースブロックの周波数帯との非重複部分について、無指向性となる送信ウェイトを算出する。
【００６６】
但し、最新に受信されたＳＲＳの周波数帯が、割り当てた下りリソースブロックの周波数帯と一致しないが、最新に受信されたＳＲＳの周波数帯と、割り当てた下りリソースブロックの周波数帯との非重複部分が、過去の所定期間（例えば１つのフレームの期間）内に受信されたＳＲＳの周波数帯に含まれる場合には、アンテナウェイト算出部１１６は、最新に受信されたＳＲＳの周波数帯と、割り当てた下りリソースブロックの周波数帯との非重複部分について、過去の所定期間内に受信されたＳＲＳに基づいて受信ウェイトを算出し、当該受信ウェイトを送信ウェイトとする。
【００６７】
その後、制御部１０２は、割り当てた下りリソースブロックを用いて、変調・復調部１０７、無線通信部１０６及びアンテナ１０８Ａ乃至アンテナ１０８Ｄを介して、サービング無線端末ＵＥ２−１へ下り無線信号を送信する。
【００６８】
また、制御部１０２は、無線基地局ｅＮＢ１−１とサービング無線端末ＵＥ２−１との間の通信品質として、サービング無線端末ＵＥ２−１からのＳＲＳの受信レベルを監視する。更に、制御部１０２は、ＳＲＳの受信レベルが予め定められた範囲よりも小さい場合には、送信電力の上昇を要求するＲＲＣメッセージである送信電力制御メッセージを、変調・復調部１０７、無線通信部１０６及びアンテナ１０８Ａ乃至アンテナ１０８Ｄを介して、サービング無線端末ＵＥ２−１へ送信する。また、制御部１０２は、ＳＲＳの受信レベルが予め定められた範囲よりも大きい場合には、送信電力の低下を要求するＲＲＣメッセージである送信電力制御メッセージを、変調・復調部１０７、無線通信部１０６及びアンテナ１０８Ａ乃至アンテナ１０８Ｄを介して、サービング無線端末ＵＥ２−１へ送信する。
【００６９】
（３）無線端末の構成
図８は、サービング無線端末ＵＥ２−１の構成図である。図８に示すように、サービング無線端末ＵＥ２−１は、制御部２０２、記憶部２０３、無線通信部２０６、変調・復調部２０７、アンテナ２０８を含む。
【００７０】
制御部２０２は、例えばＣＰＵによって構成され、サービング無線端末ＵＥ２−１が具備する各種機能を制御する。制御部２０２は、送信電力制御部２１２及びサウンディング参照信号（ＳＲＳ）送信周波数帯再設定部２１４を含む。記憶部２０３は、例えばメモリによって構成され、サービング無線端末ＵＥ２−１における制御などに用いられる各種情報を記憶する。
【００７１】
無線通信部２０６は、アンテナ２０８を介して、無線基地局ｅＮＢ１−１から送信される下り無線信号を受信する。更に、無線通信部２０６は、受信した下り無線信号をベースバンド信号に変換（ダウンコンバート）し、変調・復調部２０７へ出力する。
【００７２】
変調・復調部２０７は、入力されたベースバンド信号の復調及び復号処理を行う。これにより、無線基地局ｅＮＢ１−１が送信した下り無線信号に含まれるデータが得られる。データは制御部２０２へ出力される。
【００７３】
また、変調・復調部２０７は、制御部２０２からのデータの符号化及び変調を行い、ベースバンド信号を得る。無線通信部２０６は、ベースバンド信号を上り無線信号に変換（アップコンバート）する。更に、無線通信部２０６は、アンテナ２０８を介して、上り無線信号を送信する。
【００７４】
制御部２０２は、アンテナ２０８、無線通信部２０６及び変調・復調部２０７を介して、無線基地局ｅＮＢ１−１からの下り無線信号に対応する、ＳＲＳ送信周波数帯の情報を含んだＲＲＣ  Ｃｏｎｎｅｃｔｉｏｎ  Ｓｅｔｕｐ  メッセージ、又は、ＲＲＣ  Ｃｏｎｎｅｃｔｉｏｎ  Ｒｅｃｏｎｆｉｇｕｒａｔｉｏｎ  メッセージを受信する。
【００７５】
更に、制御部２０２は、ＲＲＣ  Ｃｏｎｎｅｃｔｉｏｎ  Ｓｅｔｕｐ  メッセージに設定されているパラメータ、又は、ＲＲＣ  Ｃｏｎｎｅｃｔｉｏｎ  Ｒｅｃｏｎｆｉｇｕｒａｔｉｏｎ  メッセージに設定されているパラメータと、セル３−１に対応して静的に定められているパラメータとに基づいて、ＳＲＳ送信周波数帯の帯域幅を認識する。また、制御部２０２は、ＲＲＣ  Ｃｏｎｎｅｃｔｉｏｎ  Ｓｅｔｕｐ  メッセージに設定されているＳＲＳ送信周波数帯の中心周波数の情報に基づいて、ＳＲＳ送信周波数帯の中心周波数を認識する。
【００７６】
また、制御部２０２内の送信電力制御部２１２は、無線基地局ｅＮＢ１−１からの下り無線信号が受信されると、当該下り無線信号に送信電力制御メッセージが含まれているか否か、換言すれば、送信電力制御メッセージを受信したか否かを判定する。
【００７７】
送信電力制御メッセージが受信された場合、送信電力制御部２１２は、当該送信電力制御メッセージが送信電力の上昇を要求するものであるか、送信電力の低下を要求するものであるかを判別する。
【００７８】
送信電力制御メッセージが送信電力の上昇を要求するものである場合、送信電力制御部２１２は、現時点の送信電力が予め定められた上限値であるか否かを判定する。現時点の送信電力が上限値でない場合には、送信電力制御部２１２は、送信電力制御メッセージに従い、送信電力を上昇させる。
【００７９】
一方、現時点の送信電力が上限値である場合には、これ以上、送信電力を上昇させることができない。この場合には、ＳＲＳ送信周波数帯再設定部２１４は、ＳＲＳ送信周波数帯を縮小可能であるか否かを判定する。ここで、現時点のＳＲＳ送信周波数帯が予め定められた最小単位（例えばリソースブロック４個分の周波数帯）である場合には、ＳＲＳ送信周波数帯を縮小不能であると判定される。
【００８０】
ＳＲＳ送信周波数帯を縮小可能である場合には、ＳＲＳ送信周波数帯再設定部２１４は、ＳＲＳ送信周波数帯が縮小されるように、当該ＳＲＳ送信周波数帯を再設定する。具体的には、ＳＲＳ送信周波数帯再設定部２１４は、無線基地局ｅＮＢ１−１からのＲＲＣ  Ｃｏｎｎｅｃｔｉｏｎ  Ｓｅｔｕｐ  メッセージ、又は、ＲＲＣ  Ｃｏｎｎｅｃｔｉｏｎ  Ｒｅｃｏｎｆｉｇｕｒａｔｉｏｎ  メッセージによって示されるＳＲＳ送信周波数帯に含まれ、且つ、当該ＳＲＳ送信周波数帯よりも狭いＳＲＳ送信周波数帯を設定する。
【００８１】
その後、制御部２０２は、変調・復調部２０７、無線通信部２０６及びアンテナ２０８を介して、スペシャルサブフレームのタイミングで、再設定されたＳＲＳ送信周波数帯を用いてＳＲＳを送信する。
【００８２】
一方、送信電力制御メッセージが送信電力の低下を要求するものである場合、送信電力制御部２１２は、現時点でＳＲＳ送信周波数帯の縮小を実行中であるか否かを判定する。現時点でＳＲＳ送信周波数帯の縮小を実行中でない場合には、送信電力制御部２１２は、送信電力制御メッセージに従い、送信電力を低下させる。
【００８３】
一方、現時点でＳＲＳ送信周波数帯の縮小を実行中である場合には、ＳＲＳ送信周波数帯再設定部２１４は、ＳＲＳ送信周波数帯が拡大されるように、当該ＳＲＳ送信周波数帯を再設定する。但し、ＳＲＳ送信周波数帯再設定部２１４は、拡大後のＳＲＳ送信周波数帯は、無線基地局ｅＮＢ１−１からのＲＲＣ  Ｃｏｎｎｅｃｔｉｏｎ  Ｓｅｔｕｐ  メッセージ、又は、ＲＲＣ  Ｃｏｎｎｅｃｔｉｏｎ  Ｒｅｃｏｎｆｉｇｕｒａｔｉｏｎ  メッセージによって示されるＳＲＳ送信周波数帯の範囲を超えないようにする。
【００８４】
あるいは、現時点でＳＲＳ送信周波数帯の縮小を実行中である場合には、ＳＲＳ送信周波数帯再設定部２１４は、ＳＲＳ送信周波数帯の縮小を終了し、ＳＲＳ送信周波数帯を再設定する。この際、ＳＲＳ送信周波数帯再設定部２１４は、無線基地局ｅＮＢ１−１サービング無線端末ＵＥ２−１との間の無線通信において利用可能な全周波数帯のうち、ＳＲＳの送信に用いられていない期間が最も長い周波数帯をＳＲＳ送信周波数帯として設定することが望ましい。
【００８５】
その後、制御部２０２は、変調・復調部２０７、無線通信部２０６及びアンテナ２０８を介して、スペシャルサブフレームのタイミングで、再設定されたＳＲＳ送信周波数帯を用いてＳＲＳを送信する。
【００８６】
（４）無線通信システムの動作
図９は、無線基地局ｅＮＢ１−１の第１の動作を示すフローチャートである。
【００８７】
ステップＳ１０１において、無線基地局ｅＮＢ１−１は、サービング無線端末ＵＥ２−１からのＳＲＳを受信する。ステップＳ１０２において、無線基地局ｅＮＢ１−１は、最新に受信したＳＲＳの周波数帯が、当該ＳＲＳを送信するために定められたＳＲＳ送信周波数帯と一致するか否かを判定する。
【００８８】
最新に受信したＳＲＳの周波数帯が、当該ＳＲＳを送信するために定められたＳＲＳ送信周波数帯と一致する場合、ステップＳ１０３において、無線基地局ｅＮＢ１−１は、最新に受信したＳＲＳの周波数帯と一致するＳＲＳ送信周波数帯の全ての下りリソースブロックを、サービング無線端末ＵＥ２−１に割り当てる。
【００８９】
一方、最新に受信したＳＲＳの周波数帯が、当該ＳＲＳを送信するために定められたＳＲＳ送信周波数帯と一致しない場合、換言すれば、最新に受信したＳＲＳの周波数帯が、当該ＳＲＳを送信するために定められたＳＲＳ送信周波数帯の一部である場合には、ステップＳ１０４において、無線基地局ｅＮＢ１−１は、最新に受信したＳＲＳの周波数帯に含まれる全ての下りリソースブロックをサービング無線端末ＵＥ２−１に割り当てる。
【００９０】
ステップＳ１０３又はステップＳ１０４において下りリソースブロックが割り当てられた後、ステップＳ１０５において、無線基地局ｅＮＢ１−１は、割り当てた下りリソースブロックに対して、最新に受信したＳＲＳに基づく送信ウェイトを設定する。
【００９１】
ステップＳ１０６において、無線基地局ｅＮＢ１−１は、割り当てた下りリソースブロックを用いて、下り無線信号を送信する。
【００９２】
図１０は、無線基地局ｅＮＢ１−１の第２の動作を示すフローチャートである。
【００９３】
ステップＳ２０１において、無線基地局ｅＮＢ１−１は、サービング無線端末ＵＥ２−１からのＳＲＳを受信する。ステップＳ２０２において、無線基地局ｅＮＢ１−１は、最新に受信したＳＲＳの周波数帯が、当該ＳＲＳを送信するために定められたＳＲＳ送信周波数帯と一致するか否かを判定する。
【００９４】
最新に受信したＳＲＳの周波数帯が、当該ＳＲＳを送信するために定められたＳＲＳ送信周波数帯と一致する場合、ステップＳ２０３において、無線基地局ｅＮＢ１−１は、最新に受信したＳＲＳの周波数帯と一致するＳＲＳ送信周波数帯の全ての下りリソースブロックを、サービング無線端末ＵＥ２−１に割り当てる。
【００９５】
ステップＳ２０４において、無線基地局ｅＮＢ１−１は、割り当てた下りリソースブロックに対して、最新に受信したＳＲＳに基づく送信ウェイトを設定する。
【００９６】
一方、最新に受信したＳＲＳの周波数帯が、当該ＳＲＳを送信するために定められたＳＲＳ送信周波数帯と一致しない場合、ステップＳ２０５において、無線基地局ｅＮＢ１−１は、最新に受信したＳＲＳの周波数帯を含むＳＲＳ送信周波数帯の全ての下りリソースブロックを、サービング無線端末ＵＥ２−１に割り当てる。
【００９７】
ステップＳ２０６において、無線基地局ｅＮＢ１−１は、割り当てた下りリソースブロックの周波数帯のうち、最新に受信されたＳＲＳの周波数帯と、割り当てた下りリソースブロックの周波数帯との非重複部分の周波数帯のＳＲＳを過去の所定期間内にサービング無線端末ＵＥ２−１から受信しているか否かを判定する。
【００９８】
非重複部分の周波数帯のＳＲＳを過去の所定期間内にサービング無線端末ＵＥ２−１から受信している場合、ステップＳ２０７において、無線基地局ｅＮＢ１−１は、割り当てた下りリソースブロックの周波数帯のうち、最新に受信されたＳＲＳの周波数帯と、割り当てた下りリソースブロックの周波数帯との重複部分の周波数帯の下りリソースブロックに対して、最新に受信したＳＲＳに基づく送信ウェイトを設定する。
【００９９】
ステップＳ２０８において、無線基地局ｅＮＢ１−１は、割り当てた下りリソースブロックの周波数帯のうち、最新に受信されたＳＲＳの周波数帯と、割り当てた下りリソースブロックの周波数帯との非重複部分の周波数帯の下りリソースブロックに対して、過去の所定期間内に受信したＳＲＳに基づく送信ウェイトを設定する。
【０１００】
一方、非重複部分の周波数帯のＳＲＳを過去の所定期間内にサービング無線端末ＵＥ２−１から受信していない場合、ステップＳ２０９において、無線基地局ｅＮＢ１−１は、割り当てた下りリソースブロックの周波数帯のうち、最新に受信されたＳＲＳの周波数帯と、割り当てた下りリソースブロックの周波数帯との重複部分の周波数帯の下りリソースブロックに対して、最新に受信したＳＲＳに基づく送信ウェイトを設定する。
【０１０１】
ステップＳ２１０において、無線基地局ｅＮＢ１−１は、割り当てた下りリソースブロックの周波数帯のうち、最新に受信されたＳＲＳの周波数帯と、割り当てた下りリソースブロックの周波数帯との非重複部分の周波数帯の下りリソースブロックに対して、無指向性となる送信ウェイトを設定する。
【０１０２】
ステップＳ２０４、ステップＳ２０８及びステップＳ２１０における送信ウェイトの設定後、ステップＳ２１１において、無線基地局ｅＮＢ１−１は、割り当てた下りリソースブロックを用いて、下り無線信号を送信する。
【０１０３】
図１１は、サービング無線端末ＵＥ２−１の動作を示すフローチャートである。
【０１０４】
ステップＳ３０１において、サービング無線端末ＵＥ２−１は、無線基地局ｅＮＢ１−１からの下り無線信号を受信する。ステップＳ３０２において、サービング無線端末ＵＥ２−１は、受信した下り無線信号に送信電力制御メッセージが含まれているか否か、換言すれば、送信電力制御メッセージを受信したか否かを判定する。
【０１０５】
送信電力制御メッセージが受信された場合、ステップＳ３０３において、サービング無線端末ＵＥ２−１は、送信電力制御メッセージが送信電力の上昇を要求するものであるか否かを判別する。
【０１０６】
送信電力制御メッセージが送信電力の上昇を要求するものである場合、ステップＳ３０４において、サービング無線端末ＵＥ２−１は、現時点の送信電力が予め定められた上限値であるか否かを判定する。
【０１０７】
現時点の送信電力が上限値である場合には、ステップＳ３０５において、サービング無線端末ＵＥ２−１は、ＳＲＳ送信周波数帯を縮小可能であるか否かを判定する。
【０１０８】
ＳＲＳ送信周波数帯を縮小可能である場合には、ステップＳ３０６において、サービング無線端末ＵＥ２−１は、ＳＲＳ送信周波数帯が縮小されるように、当該ＳＲＳ送信周波数帯を再設定する。ステップＳ３０７において、サービング無線端末ＵＥ２−１は、スペシャルサブフレームのタイミングで、再設定されたＳＲＳ送信周波数帯を用いてＳＲＳを送信する。
【０１０９】
一方、ステップＳ３０４において、現時点の送信電力が上限値でないと判定された場合には、ステップＳ３０８において、サービング無線端末ＵＥ２−１は、送信電力制御メッセージに従い、送信電力を上昇させる。
【０１１０】
また、ステップＳ３０３において、送信電力制御メッセージが送信電力の上昇を要求するものでない、換言すれば、送信電力制御メッセージが送信電力の低下を要求するものである場合、ステップＳ３０９において、サービング無線端末ＵＥ２−１は、現時点でＳＲＳ送信周波数帯を縮小しているか否かを判定する。
【０１１１】
現時点でＳＲＳ送信周波数帯の縮小を実行中である場合には、ステップＳ３１０において、サービング無線端末ＵＥ２−１は、ＳＲＳ送信周波数帯が拡大されるように、当該ＳＲＳ送信周波数帯を再設定する。あるいは、サービング無線端末ＵＥ２−１は、ＳＲＳ送信周波数帯の縮小を終了し、ＳＲＳ送信周波数帯を再設定する。
【０１１２】
ステップＳ３１１において、サービング無線端末ＵＥ２−１は、スペシャルサブフレームのタイミングで、再設定されたＳＲＳ送信周波数帯を用いてＳＲＳを送信する。
【０１１３】
一方、ステップＳ３０９において、現時点でＳＲＳ送信周波数帯を縮小していないと判定された場合には、ステップＳ３１２において、サービング無線端末ＵＥ２−１は、送信電力制御メッセージに従い、送信電力を低下させる。
【０１１４】
（５）作用・効果
以上説明したように、本実施形態によれば、無線基地局ｅＮＢ１−１は、ＳＲＳ送信周波数帯を設定したにもかかわらず、サービング無線端末ＵＥ２−１が当該ＳＲＳ送信周波数帯の一部の周波数帯のみを利用してＳＲＳを送信してきた場合には、ＳＲＳ送信周波数帯のうち、最新に受信したＳＲＳの周波数帯を有する下りリソースブロックを割り当て、当該下りリソースブロックに対して、最新に受信したＳＲＳに基づく送信ウェイトを設定し、当該下りリソースブロックを用いて無線信号を送信する。従って、ＳＲＳの周波数帯を有する下りリソースブロックに対して、当該ＳＲＳに基づく送信ウェイトを設定することができ、送信ウェイトの設定を的確に行える。
【０１１５】
また、無線基地局ｅＮＢ１−１は、ＳＲＳ送信周波数帯を有する下りリソースブロックを割り当て、当該下りリソースブロックのうち、最新に受信したＳＲＳの周波数帯以外の下りリソースブロックに対して、無指向性となる送信ウェイトを設定する。また、無線基地局ｅＮＢ１−１は、ＳＲＳ送信周波数帯を有する下りリソースブロックを割り当て、当該下りリソースブロックのうち、過去の所定期間内に受信したＳＲＳの周波数帯を有する下りリソースブロックに対して、当該過去の所定期間内に受信したＳＲＳに基づく送信ウェイトを設定し、過去の所定期間内に受信していないＳＲＳの周波数帯を有する下りリソースブロックに対して、無指向性となる送信ウェイトを設定する。従って、最新に受信したＳＲＳの周波数帯を有する下りリソースブロック以外の下りリソースブロックが割り当てられる場合にも、送信ウェイトの設定を的確に行える。
【０１１６】
また、サービング無線端末ＵＥ２−１は、無線基地局ｅＮＢ１−１からの送信電力の上昇の要求に対して、送信電力が上限値である場合には、ＳＲＳ送信周波数帯を縮小する。これにより、サービング無線端末ＵＥ２−１は、全体の送信電力を上昇させることなく、ＳＲＳの送信周波数帯については、送信電力については上昇させることが可能となる。
【０１１７】
従って、サービング無線端末ＵＥ２−１は、無線基地局ｅＮＢとの間の通信品質（無線基地局ｅＮＢ１−１におけるサービング無線端末ＵＥ２−１からの無線信号の受信レベル）に応じたＳＲＳ送信周波数帯の制御によるＳＲＳの送信が可能となり、無線基地局ｅＮＢ１−１に対するＳＲＳの到達の確実性を向上させることができる。
【０１１８】
また、サービング無線端末ＵＥ２−１は、無線基地局ｅＮＢ１−１からの送信電力の低下の要求に対して、ＳＲＳ送信周波数帯の縮小を実行中である場合には、ＳＲＳ送信周波数帯を拡大し、あるいは、ＳＲＳ送信周波数帯の縮小を終了する。これにより、サービング無線端末ＵＥ２−１は、ＳＲＳの送信電力を低下させることが可能となる。
【０１１９】
（６）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１２０】
上述した実施形態では、スペシャルサブフレームのタイミングをサービング無線端末ＵＥ２−１におけるＳＲＳの送信タイミングとした。しかし、ＳＲＳの送信タイミングは、これに限定されず、予め無線基地局ｅＮＢ１−１とサービング無線端末ＵＥ２との間で合意されているタイミングであればよい。但し、ＳＲＳの送信タイミングは、少なくとも１フレームの時間内に一度存在することが好ましい。
【０１２１】
また、上述した実施形態では、無線基地局ｅＮＢ１−１は、受信ウェイトを送信ウェイトとして用いたが、受信ウェイトとは無関係に送信ウェイトを算出するようにしてもよい。
【０１２２】
上述した実施形態では、ＴＤＤ−ＬＴＥの無線通信システムについて説明したが、無線端末に割り当てられる上り無線信号の周波数帯と、下り無線信号の周波数帯とが異なる、上下非対称通信が採用される無線通信システムであれば、同様に本発明を適用できる。
【０１２３】
このように本発明は、ここでは記載していない様々な実施形態等を包含するということを理解すべきである。したがって、本発明はこの開示から妥当な請求の範囲の発明特定事項によってのみ限定されるものである。  なお、日本国特許出願第２０１０−１９１３４６号（２０１０年８月２７日出願）、及び、日本国特許出願第２０１０−１９１３４９号（２０１０年８月２７日出願）の全内容が、参照により、本願明細書に組み込まれている。
【産業上の利用可能性】
【０１２４】
第１に、本発明によれば、下りの無線リソースに対するアンテナウェイトの設定を的確に行えるようになる。第２に、本発明によれば、無線基地局への参照信号の到達の確実性を向上できる。
【図１】
2012026604.tif 000003
【図２】
2012026604.tif 000004
【図３】
2012026604.tif 000005
【図４】
2012026604.tif 000006
【図５】
2012026604.tif 000007
【図６】
2012026604.tif 000008
【図７】
2012026604.tif 000009
【図８】
2012026604.tif 000010
【図９】
2012026604.tif 000011
【図１０】
2012026604.tif 000012
【図１１】
2012026604.tif 000013
【国際調査報告】
2012026604.tif 000014
2012026604.tif 000015
2012026604.tif 000016
2012026604.tif 000017
2012026604.tif 000018